(57)【要約】      （修正有）【課題】中空糸膜の長さ方向全体にわたって洗浄効果が得られ、長期間ろ過性能を低下させることなくその運転を継続できる、中空糸膜モジュールおよびその洗浄方法を提供する。【解決手段】多数本の中空糸膜２からなる中空糸膜束を収納した筒状ケース３と、前記中空糸膜束の上端面が開口した状態で接着固定する上部樹脂接着部４と、前記中空糸膜束の下端面が開口した状態で接着固定する下部樹脂接着部５と、ろ過室６と、上部集水室７と、下部集水室８と、ドレン室９と、中空管１０と、筒状ケース３の外周部に設けられろ過室６と連通する原水供給ノズルＮ１と、筒状ケース３の外周部に設けられろ過室６と連通する排水ノズルＮ２と、上部集水室７と連通する上部ろ過水ノズルＮ３と、筒状ケース３の外周部に設けられ下部集水室８と連通する下部洗浄ノズルＮ４と、ドレン室９と連通するドレンノズルＮ５とを備えた中空糸膜モジュールとする。【選択図】図２
2013128892.tif 000002
【特許請求の範囲】
【請求項１】
多数本の中空糸膜からなる中空糸膜束と、前記中空糸膜束を収納した筒状ケースと、前記中空糸膜束の上端面が開口した状態で前記中空糸膜束の上端部を前記筒状ケースに接着固定する上部樹脂接着部と、前記中空糸膜束の下端面が開口した状態で前記中空糸膜束の下端部を前記筒状ケースに接着固定する下部樹脂接着部と、前記筒状ケースの内部にあって前記上部樹脂接着部および前記下部樹脂接着部によって分画されたろ過室と、前記上部樹脂接着部の上方に設けられ前記中空糸膜束の上端面と連通する上部集水室と、前記下部樹脂接着部の下方に設けられ前記中空糸膜束の下端面と連通する下部集水室と、前記下部集水室の下方に設けられ前記下部集水室とは液密に封止されたドレン室と、前記下部樹脂接着部および前記下部集水室を貫通し前記ろ過室および前記ドレン室を連通する中空管と、前記筒状ケースの外周部に設けられ前記ろ過室と連通する原水供給ノズルと、前記筒状ケースの外周部に設けられ前記ろ過室と連通する排水ノズルと、前記上部集水室と連通する上部ろ過水ノズルと、前記筒状ケースの外周部に設けられ前記下部集水室と連通する下部洗浄ノズルと、前記ドレン室と連通するドレンノズルとを備えた中空糸膜モジュール。
【請求項２】
多数本の中空糸膜からなる中空糸膜束と、前記中空糸膜束を収納した筒状ケースと、前記中空糸膜束の上端面が開口した状態で前記中空糸膜束の上端部を前記筒状ケースに接着固定する上部樹脂接着部と、前記中空糸膜束の下端面が開口した状態で前記中空糸膜束の下端部を前記筒状ケースに接着固定する下部樹脂接着部と、前記筒状ケースの内部にあって前記上部樹脂接着部および前記下部樹脂接着部によって分画されたろ過室と、前記上部樹脂接着部の上方に設けられ前記中空糸膜束の上端面と連通する上部集水室と、前記下部樹脂接着部の下方に設けられ前記中空糸膜束の下端面と連通する下部集水室と、前記下部集水室の下方に設けられ前記下部集水室とは液密に封止されたドレン室と、前記下部樹脂接着部および前記下部集水室を貫通し前記ろ過室および前記ドレン室を連通する中空管と、前記筒状ケースの外周部に設けられ前記ろ過室と連通する原水供給ノズルと、前記筒状ケースの外周部に設けられ前記ろ過室と連通する排水ノズルと、前記上部集水室と連通する上部ろ過水ノズルと、前記筒状ケースの外周部に設けられ前記下部集水室と連通する下部洗浄ノズルと、前記ドレン室と連通するドレンノズルとを備えた中空糸膜モジュールを洗浄する方法であって、前記上部集水室および前記下部集水室から前記中空糸膜束の方向に洗浄水を注入する中空糸膜モジュールの洗浄方法。
【請求項３】
前記上部集水室から注入する前記洗浄水の量と前記下部集水室から注入する前記洗浄水の量とが異なる請求項２に記載の中空糸膜モジュールの洗浄方法。
【請求項４】
前記上部集水室から前記洗浄水を注入する時期と前記下部集水室から前記洗浄水を注入する時期とが異なる請求項２または３に記載の中空糸膜モジュールの洗浄方法。
【発明の詳細な説明】
【技術分野】
【０００１】
本発明は、中空糸膜モジュール及びその洗浄方法に関するものであり、特に中空糸膜モジュールの上下両端から中空糸膜の内側に洗浄水を注入できる中空糸膜モジュール及びその洗浄方法に関するものである。
【背景技術】
【０００２】
従来の中空糸膜モジュールを用いた装置の運転方法を図５と図６を用いて説明する。
【０００３】
通常ろ過時には、原水供給バルブＶ１とろ過バルブＶ２を開にし、原水供給ポンプＰ１で原水を原水供給ノズルＮ１から中空糸膜モジュール１に供給される。原水は多数本の中空糸膜２の外側から内側に透過してろ過水となり、上部ろ過水ノズルＮ３から出てろ過水槽などに貯水される。膜を透過しなかった濁質物や有機物は膜表面に付着し、膜の目詰まりを起こす。安定したろ過水量を得るためには、一定のろ過時間毎に膜を洗浄する必要がある。
【０００４】
洗浄方法には濃度の高い薬品で1日或いは数日に１回約１０−６０分間実施する薬液強化洗浄方法とろ過を約１０−６０分実施する毎に０．５−１０分間実施する逆洗方法がある。逆洗効果が高いと、頻繁に薬液強化洗浄しなくてすむため、ろ過装置の回収率を高められ、薬品消費量も少なくできる。即ち、逆洗効果は設備コストと運転コストに大きく影響を及ぼす。
【０００５】
逆洗時には、逆洗バルブＶ３、排水バルブＶ５を開にし、逆洗ポンプＰ２で洗浄水をろ過水ノズルＮ３から中空糸膜モジュール１に送水する。洗浄水は上部集水室７を経由して多数本の中空糸膜２の内側から外側へ逆流しながら中空糸膜２の表面或いは孔の中に付着している物質を剥離させる。剥離された付着物は、下部樹脂接着部５に設けられた少なくとも１本の貫通孔１２から中空糸膜モジュール１下部のドレン室９に集まり、ドレンノズルＮ５から中空糸膜モジュール１系外に排出される。
【０００６】
上記した逆洗方法と同時にまたは逆洗方法の前後に、空気供給バルブＶ４を開にし、ブロワーＢで空気をドレンノズルＮ５から中空糸膜モジュール１に供給する空気洗浄を実施すると、より逆洗効果を高めることができる。また、洗浄水に次亜塩素酸塩などの薬品を数ｍｇ／Ｌから数十ｍｇ／Ｌ程度添加することにより逆洗効果を高めることもできる。
【０００７】
しかし、これらの逆洗効果を高める手段はあくまでも補助的なものであって、逆洗効果を決定する主要因は、中空糸膜２の内側から外側への逆流が中空糸膜２の長さ方向全体にわたって行われるか否かである。従来の中空糸膜モジュールであれば逆洗及び薬液強化洗浄を実施した直後であっても、中空糸膜２の上部は比較的付着物が少ないものの、中空糸膜２の下部には付着物がほとんど取れていないことが多かった。
【０００８】
従来の中空糸膜モジュールは図６−図８に示すように、中空糸膜２の一方の端部しか開口されず、もう一方は樹脂接着部で塞がれている構造である。通常、中空糸膜２の長さが０．５−２ｍと長いのに比べ、中空糸膜２の外径は０．３−２ｍｍと細く、中空糸膜２の上部から注入した洗浄水が中空糸膜２の下部にまで行き届きにくいため、中空糸膜２の下部では中空糸膜２の内側から外側への逆洗がほとんど行われてないことがあった。中空糸膜２が長いほど、洗浄水の水温が低いほど、上下部の中空糸膜２の長さ方向の洗浄効果の差は大きくなる。このような中空糸膜モジュール１について長期間運転を行っていると、中空糸膜２の下部はろ過機能をほとんど失った状態となってしまっていた。
【０００９】
上記の課題を解決する手段として、特許文献１には封止された下端部から開口された上端部に向かって中空糸膜の内径が大きくなる中空糸膜モジュールが開示されている。しかし、そのような中空糸膜を製造することは製造上困難であり、生産性が落ちてコストも高くなる問題があった。
【００１０】
また、特許文献２には、中空糸膜両端を開口し、その両端開口部を連結パイプで接続することによって、中空糸膜を透過した処理水を中空糸膜の両端から取り出す方法が開示されている。この方法を採用すると逆洗時に上端、下端それぞれから逆洗水を供給できることから、ある程度の洗浄性向上は期待できるが、モジュール構造上、下端部からの逆洗流量は上端部からの逆洗水量と比べて非常に小さくなってしまうため、汚れの多い下端部には十分な逆洗水が供給されない問題があった。
【先行技術文献】
【特許文献】
【００１１】
【特許文献１】特開２００６−１８１５０６号公報
【特許文献２】国際公開第２００８／１４３２９２号
【発明の概要】
【発明が解決しようとする課題】
【００１２】
本発明は、中空糸膜の長さ方向全体にわたって洗浄効果が得られ、長期間ろ過性能を低下させることなくその運転を継続できる、中空糸膜モジュールおよびその洗浄方法を提供することを課題とする。
【課題を解決するための手段】
【００１３】
上記課題を解決するために、本発明は次の構成をとる。
【００１４】
（１）多数本の中空糸膜からなる中空糸膜束と、前記中空糸膜束を収納した筒状ケースと、前記中空糸膜束の上端面が開口した状態で前記中空糸膜束の上端部を前記筒状ケースに接着固定する上部樹脂接着部と、前記中空糸膜束の下端面が開口した状態で前記中空糸膜束の下端部を前記筒状ケースに接着固定する下部樹脂接着部と、前記筒状ケースの内部にあって前記上部樹脂接着部および前記下部樹脂接着部によって分画されたろ過室と、前記上部樹脂接着部の上方に設けられ前記中空糸膜束の上端面と連通する上部集水室と、前記下部樹脂接着部の下方に設けられ前記中空糸膜束の下端面と連通する下部集水室と、前記下部集水室の下方に設けられ前記下部集水室とは液密に封止されたドレン室と、前記下部樹脂接着部および前記下部集水室を貫通し前記ろ過室および前記ドレン室を連通する中空管と、前記筒状ケースの外周部に設けられ前記ろ過室と連通する原水供給ノズルと、前記筒状ケースの外周部に設けられ前記ろ過室と連通する排水ノズルと、前記上部集水室と連通する上部ろ過水ノズルと、前記筒状ケースの外周部に設けられ前記下部集水室と連通する下部洗浄ノズルと、前記ドレン室と連通するドレンノズルとを備えた中空糸膜モジュール。
【００１５】
（２）多数本の中空糸膜からなる中空糸膜束と、前記中空糸膜束を収納した筒状ケースと、前記中空糸膜束の上端面が開口した状態で前記中空糸膜束の上端部を前記筒状ケースに接着固定する上部樹脂接着部と、前記中空糸膜束の下端面が開口した状態で前記中空糸膜束の下端部を前記筒状ケースに接着固定する下部樹脂接着部と、前記筒状ケースの内部にあって前記上部樹脂接着部および前記下部樹脂接着部によって分画されたろ過室と、前記上部樹脂接着部の上方に設けられ前記上部中空糸膜束の上端面と連通する上部集水室と、前記下部樹脂接着部の下方に設けられ前記下部中空糸膜束の下端面と連通する下部集水室と、前記下部集水室の下方に設けられ前記下部集水室とは液密に封止されたドレン室と、前記下部樹脂接着部および前記下部集水室を貫通し前記ろ過室および前記ドレン室を連通する中空管と、前記筒状ケースの外周部に設けられ前記ろ過室と連通する原水供給ノズルと、前記筒状ケースの外周部に設けられ前記ろ過室と連通する排水ノズルと、前記上部集水室と連通する上部ろ過水ノズルと、前記筒状ケースの外周部に設けられ前記下部集水室と連通する下部洗浄ノズルと、前記ドレン室と連通するドレンノズルとを備えた中空糸膜モジュールを洗浄する方法であって、前記上部集水室および前記下部集水室から前記中空糸膜束の方向に洗浄水を注入する中空糸膜モジュールの洗浄方法。
【００１６】
（３）前記上部集水室から注入する前記洗浄水の量と前記下部集水室から注入する前記洗浄水の量とが異なる（２）に記載の中空糸膜モジュールの洗浄方法。
【００１７】
（４）前記上部集水室から前記洗浄水を注入する時期と前記下部集水室から前記洗浄水を注入する時期とが異なる（２）または（３）に記載の中空糸膜モジュールの洗浄方法。
【発明の効果】
【００１８】
本発明によって、中空糸膜の長さ方向全体にわたって洗浄効果が得られ、長期間ろ過性能を低下させることなくその運転を継続することができる。
【図面の簡単な説明】
【００１９】
【図１】本発明の中空糸膜モジュールを用いたろ過装置の概略構成図である。
【図２】本発明の中空糸膜モジュールの概略構成図である。
【図３】図２の中空糸膜モジュールにおけるＡ−Ａ’断面図である。
【図４】図２の中空糸膜モジュールにおけるＢ−Ｂ’断面図である。
【図５】従来の中空糸膜モジュールを用いたろ過装置の概略構成図である。
【図６】従来の中空糸膜モジュールの概略構成図である。
【図７】図６の中空糸膜モジュールにおけるＣ−Ｃ’断面図である。
【図８】図６の中空糸膜モジュールにおけるＤ−Ｄ’断面図である。
【発明を実施するための形態】
【００２０】
本発明の実施形態を、図１、図２、図３と図４を用いて説明する。
【００２１】
図２は本発明の中空糸膜モジュールの概略構成図である。中空糸膜モジュール１には、数百本〜数万本の、一定の長さに揃えられた中空糸膜２が束ねられた中空糸膜束が筒状ケース３に収容され、中空糸膜２の両端部が上部樹脂接着部４と下部樹脂接着部５によって接着固定されている。
【００２２】
上部樹脂接着部４において、従来の中空糸膜モジュール１と同様（図７のＣ−Ｃ’断面図を参照）、本発明の中空糸膜モジュール１でも、中空糸膜２が上部集水室７に向かって開口状態となる。従来の中空糸膜モジュールと同様、中空糸膜２によりろ過された水は上部集水室７から上部ろ過水ノズルＮ３から取り出されてろ過水槽などに貯水される。
【００２３】
下部樹脂接着部５において、従来の中空糸膜モジュール１では図６に示すように中空糸膜２が接着部に封止される。図８のＤ−Ｄ断面図に示すように、１つ以上の貫通孔１２が下部樹脂接着部５を貫通し、ドレン室９に向かって開口状態となる。中空糸膜２を透過しなかった濁質物などが貫通孔１２からドレン室９を経由してドレンノズルＮ５から系外にドレンされる。本発明の中空糸膜モジュール１では、下部樹脂接着部５において、中空糸膜２が下部集水室８に向かって開口状態となり（図３のＡ−Ａ’断面図を参照）、１つ以上の中空管１０は下部樹脂接着部５を貫通し、さらに下部集水室８を貫通し、ドレン室９に向かって開口する（図４のＢ−Ｂ’断面図を参照）。下部集水室８とドレン室９は隔離板１１により分離され、ドレン室９は下部集水室８と液密に封止されている。下部集水室８には下部洗浄ノズルＮ４が設けられ、洗浄水を中空糸膜２の内側に注入する。下部洗浄ノズルＮ４は下部集水室８と連通すればよく、その位置は、図２に示すように中空糸膜モジュール１の筒状ケース３の横に設けられても良いし、ドレン室９を貫通しドレンノズルＮ５と平行になるように中空糸膜モジュール１の下部に設けられても良い。
【００２４】
本発明の中空糸膜モジュール１を用いたろ過装置の運転方法を図１で説明すると、ろ過運転時は従来の中空糸膜モジュール１の運転方法と同様、原水供給バルブＶ１とろ過バルブＶ２を開にし、原水供給ポンプＰ１で原水を原水供給ノズルＮ１からろ過室６に供給する。原水は多数本の中空糸膜２の外側から内側に透過し、上部集水室７を経て上部ろ過水ノズルＮ３から取り出されてろ過水槽などに貯水される。本発明の中空糸膜モジュール１では、通常ろ過運転時に、第１逆洗バルブＶ３と第２逆洗バルブＶ７を開にし、中空糸膜モジュール１の下部集水室８を経て下部洗浄ノズルＮ４からも同時にろ過水を取り出すことも可能である。
【００２５】
次に、本発明の中空糸膜モジュールの洗浄方法について説明する。逆洗時には、第１逆洗バルブＶ３と第２逆洗バルブＶ７、排水バルブＶ５と洗浄水吐出バルブＶ８を開にし、逆洗ポンプＰ２で洗浄水を上部ろ過水ノズルＮ３と下部洗浄ノズルＮ４から中空糸膜２の内側に送水する。中空糸膜２の上下から送られた洗浄水は多数本の中空糸膜２の内側から外側へ逆流しながら、中空糸膜２の表面或いは孔の中に付着している物質を剥離させる。剥離された付着物は、１つ以上の中空管１０からドレン室９を経由し、ドレンノズルＮ５から中空糸膜モジュール１の系外に排出される。
【００２６】
逆洗する際に、上部集水室７から注入する洗浄水の量と下部集水室８から注入する洗浄水の量は、個別に調整することができ、中空糸膜２の両端の汚れ具合の差異により、上部集水室７から注入する洗浄水の量と下部集水室８から注入する洗浄水の量とが異なるように、バルブＶ３とＶ７の開度を調整することによって調整することが好ましい。通常ろ過時、より汚れが進行している中空糸膜２の一端の方により多くの洗浄水を注入すれば良い。
【００２７】
逆洗する際に、上部集水室７から洗浄水を注入する時期と下部集水室８から洗浄水を注入する時期は、個別に調整することができ、中空糸膜２の両端の汚れ具合の差異やろ過水の生産水量に応じて、上部集水室７から洗浄水を注入する時期と下部集水室８から洗浄水を注入する時期とが異なるように調整することが好ましい。原水に含まれる濁質物が比較的少ない時には、汚れやすい中空糸膜２の一端に洗浄水をより頻繁に注入し、比較的汚れが進行してない或いは汚れにくい中空糸膜２の一端にはより低い頻度で洗浄水を注入すれば良い。また、中空糸膜２の一端のみから洗浄水を注入した後、ラインを切り替えて連続的に他の一端から洗浄水を注入しても良い。また、原水の水温が３０℃以上と高い場合、ろ過水を多く生産する中空糸膜２の一端のみ洗浄水を注入しても洗浄効果が得られる。一方、原水の水温が３０℃以下、特に２０℃以下の場合、中空糸膜２の一端のみから洗浄水を注入すると、他の一端まで洗浄効果が得られないため、その時には中空糸膜２の両端を同時に逆洗するか、或いはろ過水を生産しない或いは少なめに生産する中空糸膜２の一端も頻繁に洗浄水を注入する方が好ましい。
【００２８】
次に本発明の中空糸膜モジュールの好ましい製造方法について説明する。
【００２９】
中空糸膜２の材質については、多孔質の中空糸膜であれば特に限定されるものではなく、ポリエチレン、エチレン−テトラフルオロエチレン共重合体、ポリクロロトリフルオロエチレン、ポリテトラフルオロエチレン、ポリビニルフルオライド、テトラフルオロエチレン−ヘキサフルオロプロピレン共重合体、テトラフルオロエチレン−パーフルオロアルキルビニルエーテル共重合体、およびクロロトリフルオロエチレン−エチレン共重合体、ポリフッ化ビニリデン、ポリアクリロニトリル、ポリスルホン、ポリエーテルスルホン、酢酸セルロース、ポリビニールアルコール、その他の材質、の限外ろ過膜または精密ろ過膜を適宜使用することができる。さらに、これらの高分子の焼結体からなるろ過材料およびセラミック等無機素材からなるろ過材料も好ましく使用することができる。
【００３０】
中空糸膜の製膜方法は中空糸膜の材質によって異なるが、例えばポリフッ化ビニリデン系樹脂を原料とする場合、特許第２８９９９０３号に開示されるようにポリフッ化ビニリデン系樹脂に無機微粒子と有機液状体を溶融混錬し、一定の温度条件で口金から押出したり、プレス機でプレスしたりして成型した後、冷却固化し、その後有機液状体と無機微粒子を抽出することにより非対称多孔構造を形成させる紡糸方法などを適宜採用することができる。
【００３１】
中空糸膜の外径は特に限定されるものではないが、０．３−３ｍｍの範囲であることが好ましい。外径が大きいと圧力損失は少ないが、充填本数が少なくなる。逆に外径が小さいと充填本数は多くなるが圧力損失が大きくなるとともに折れやすい問題もある。中空糸膜の膜厚は０．１−０．９ｍｍの範囲であることが好ましい。膜厚が薄いと、膜が折れやすくなり、逆に厚いと圧損や原料代の増加につながる。
【００３２】
次に中空糸膜モジュールの製造方法については、多数本の中空糸膜２を集束し、原水供給ノズルＮ１と排水ノズルＮ２を備えた筒状ケース３に挿入し、接着剤で中空糸膜両端のポッティングを行う。中空糸膜２の本数が多く、隣接する中空糸膜２同士の隙間が狭い場合などでは、接着剤を上記ノズルから注入し、筒状ケース３を中空糸膜束の軸方向に垂直な方向に回転して得られる遠心力を利用したポッティング法を採用することも好ましい。接着剤が固化したら、中空糸膜束を接着部と同時に、中空糸膜束の両端を中空糸膜束の横断面方向に切断し、固定された中空糸膜２の両端開口面を得る。
【００３３】
また、接着部に中空管１０を設置する方法としては、中空糸膜を集束する際に接着剤と接着しない、設置したい中空管１０の外径と同じ外径を持つ棒状物を中空糸膜束に埋め込んでから接着剤を注入し、接着剤が固化した後、この棒状物を取り除くことにより貫通孔を作製し、当該貫通孔に中空管１０の先端が下部樹脂接着部５の上端面と同じ高さになるように中空管１０を差し込むことで設置することができる。この場合、予め埋め込む棒状物の代わりに、中空状のパイプ或いはチューブを用いても良い。
【００３４】
隔離板１１は、中空管１０が差し込まれる貫通孔に関して下部樹脂接着部５と同じ貫通孔の配置を持つ板材に中空管１０を溶接、又は接着したものでも良いし、予め下部樹脂接着部５と同じ貫通孔の配置を持つ板材を成型、又は加工しても良い。いずれにしても下部集水室８とドレン室９が接液しないような構造である必要がある。中空管１０、および隔離板１１の材質としては、取扱液に対して耐食性、耐圧性があれば特に制約は無く、樹脂製、金属製のいずれでも良い。また、ポッティング後、中空糸膜束から切り取った上部樹脂接着部４または下部樹脂接着部５を加工し、隔離板１１として使用することもできる。中空管１０に差し込む中空パイプの外周部分には樹脂製のリングを装着し、下部集水室８とドレン室９が接液しない構造であることが望ましいが、貫通孔の内径と中空管１０の外径を同一として、貫通孔と中空管１０の隙間を小さくし、接液を最小限とする方法も採用できる。
【００３５】
下部集水室８は、貫通孔に中空管１０の一端を装着し、その中空管１０の反対側の端部を隔離板１１を装着することにより空間を形成し、下部集水室８とする。隔離板１１の外周は筒状ケース３の一端に溶接、接着、若しくは予め成型、加工しておき、筒状ケース３のもう一端は接着部外周にネジやフランジなどで固定できるようにしておく。筒状ケース３には、下部集水室８の側面となる位置に下部洗浄ノズルＮ４を設けておく。
【００３６】
筒状ケース３および原水供給ノズルＮ１、排水ノズルＮ２、上部ろ過水ノズルＮ３、下部洗浄ノズルＮ４、ドレンノズルＮ５の材質については、ステンレスなどの金属、ＦＲＰ、ＡＢＳ、ポリ塩化ビニル、ポリカーボネート、ポリスルホンなどのプラスチック類から適宜選択することができる。筒状ケース３の形状は特に限定されるものではないが、一般的には直径が１００−８００ｍｍ、高さは５００−３０００ｍｍであることが好ましい。
【００３７】
上部樹脂接着部４，下部樹脂接着部５を構成する接着剤の種類は、中空糸膜２を固定するとともに中空糸膜２を筒状ケース３に対し液密に接着固定でき、かつろ過運転に支障のない強度であれば良く、エポキシ樹脂、ウレタン樹脂、シリコン樹脂、ポリエステル樹脂、などの接着剤や、種々の熱可塑性樹脂などを用いることができる。
【００３８】
また、本発明の中空糸膜モジュールを用いたろ過装置は、海水、河川水、工業排水など様々な原水をろ過処理することに用いられる。ろ過装置で使われる配管およびバルブの材質は、ステンレスなど金属製のものやポリ塩化ビニルなど樹脂製のものを使うことができる。原水が海水の場合、腐食問題を避けるためにポリ塩化ビニルなど樹脂製の配管およびバルブを用いることが好ましい。
【００３９】
本発明の中空糸膜モジュールを洗浄する時に用いられる洗浄水は、中空糸膜のろ過水、或いは、ろ過水水質同等或いはそれ以上の水質の水を用いて良い。また、洗浄効果を高めるためには、上記洗浄水に、例えば次亜塩素酸ナトリウムなどの殺菌剤や塩酸など酸を適宜添加しても良い。
【符号の説明】
【００４０】
１：中空糸膜モジュール
２：中空糸膜
３：筒状ケース
４：上部樹脂接着部
５：下部樹脂接着部
６：ろ過室
７：上部集水室
８：下部集水室
９：ドレン室
１０：中空管
１１：隔離板
１２：貫通孔
Ｎ１：原水供給ノズル
Ｎ２：排水ノズル
Ｎ３：上部ろ過水ノズル
Ｎ４：下部洗浄ノズル
Ｎ５：ドレンノズル
Ｐ１：原水供給ポンプ
Ｐ２：逆洗ポンプ
Ｂ：ブロワー
Ｖ１：原水供給バルブ
Ｖ２：ろ過バルブ
Ｖ３：第１逆洗バルブ
Ｖ４：空気供給バルブ
Ｖ５：排水バルブ
Ｖ６：ドレンバルブ
Ｖ７：第２逆洗バルブ
Ｖ８：洗浄水吐出バルブ
【図１】
2013128892.tif 000003
【図２】
2013128892.tif 000004
【図３】
2013128892.tif 000005
【図４】
2013128892.tif 000006
【図５】
2013128892.tif 000007
【図６】
2013128892.tif 000008
【図７】
2013128892.tif 000009
【図８】
2013128892.tif 000010